【手続補正書】
【提出日】平成17年4月22日(2005.4.22)
【手続補正１】
【補正対象書類名】明細書
【補正対象項目名】発明の名称
【補正方法】変更
【補正の内容】
【発明の名称】符号化方法及び装置、復号方法及び装置、並びにプログラム
【手続補正２】
【補正対象書類名】明細書
【補正対象項目名】特許請求の範囲
【補正方法】変更
【補正の内容】
【特許請求の範囲】
【請求項１】
入力ディジタル信号をスペクトル変換したスペクトルを符号化する符号化方法において、
復号側において上記スペクトルと合成されるパワー補整用スペクトルのパワーを調整するために使用されるパワー調整情報を、上記スペクトルを所定数毎に分割したユニット毎、又は上記ユニットを複数まとめたグループ毎に生成するパワー調整情報生成工程と、
上記ユニット毎又はグループ毎のパワー調整情報を上記スペクトルと共に符号化する符号化工程と
を有することを特徴とする符号化方法。
【請求項２】
上記パワー調整情報生成工程では、上記入力ディジタル信号のトーナリティに基づいて上記パワー調整情報が生成されることを特徴とする請求項１記載の符号化方法。
【請求項３】
上記パワー調整情報生成工程では、上記入力ディジタル信号のトーナリティが所定の閾値よりも高い場合、上記パワー補整用スペクトルによるパワー補整量が少なくなるように上記パワー調整情報が生成されることを特徴とする請求項２記載の符号化方法。
【請求項４】
上記パワー調整情報は、復号側における上記スペクトルのパワー制御量を表すことを特徴とする請求項１記載の符号化方法。
【請求項５】
上記パワー調整情報生成工程では、所定の帯域より高い帯域のスペクトルについてのみ上記パワー調整情報が生成されることを特徴とする請求項１記載の符号化方法。
【請求項６】
入力ディジタル信号をスペクトル変換したスペクトルを符号化する符号化装置において、
復号側において上記スペクトルと合成されるパワー補整用スペクトルのパワーを調整するために使用されるパワー調整情報を、上記スペクトルを所定数毎に分割したユニット毎、又は上記ユニットを複数まとめたグループ毎に生成するパワー調整情報生成手段と、
上記ユニット毎又はグループ毎のパワー調整情報を上記スペクトルと共に符号化する符号化手段と
を備えることを特徴とする符号化装置。
【請求項７】
入力ディジタル信号をスペクトル変換したスペクトルを符号化する符号化処理をコンピュータに実行させるプログラムにおいて、
復号側において上記スペクトルと合成されるパワー補整用スペクトルのパワーを調整するために使用されるパワー調整情報を、上記スペクトルを所定数毎に分割したユニット毎、又は上記ユニットを複数まとめたグループ毎に生成するパワー調整情報生成工程と、
上記ユニット毎又はグループ毎のパワー調整情報を上記スペクトルと共に符号化する符号化工程と
を有することを特徴とするプログラム。
【請求項８】
ディジタル信号をスペクトル変換して符号化されたスペクトルを復号する復号方法において、
上記スペクトルを復号するスペクトル復号工程と、
上記スペクトルを所定数毎に分割したユニット毎、又は上記ユニットを複数まとめたグループ毎のパワー調整情報を復号するパワー調整情報復号工程と、
復号された上記パワー調整情報に基づいてパワー補整用スペクトルを生成するパワー補整用スペクトル生成工程と、
復号した上記スペクトルと上記パワー補整用スペクトルとを合成する合成工程と
を有することを特徴とする復号方法。
【請求項９】
上記パワー補整用スペクトル生成工程では、所定のスペクトルパターンから生成したテーブルの値を参照してパワー補整用スペクトルが生成されることを特徴とする請求項８記載の復号方法。
【請求項１０】
上記パワー補整用スペクトル生成工程では、上記テーブルから値を参照する位置が上記スペクトルの符号化に用いたデータに基づいて決定されることを特徴とする請求項９記載の復号方法。
【請求項１１】
上記スペクトルの符号化に用いたデータは、正規化係数であることを特徴とする請求項１０記載の復号方法。
【請求項１２】
上記スペクトルの符号化に用いたデータは、量子化精度情報であることを特徴とする請求項１０記載の復号方法。
【請求項１３】
上記パワー補整用スペクトル生成工程では、ランダムな数値列を用いて上記パワー補整用スペクトルが生成されることを特徴とする請求項８記載の復号方法。
【請求項１４】
上記ランダムな数値列は、ガウシアン分布数値列であることを特徴とする請求項１３記載の復号方法。
【請求項１５】
上記パワー補整用スペクトルのパワーを調整するパワー調整工程を有し、
上記合成工程では、復号した上記スペクトルとパワー調整後の上記パワー補整用スペクトルとが合成されること
を特徴とする請求項８記載の復号方法。
【請求項１６】
上記パワー調整工程では、上記スペクトルの復号に用いた正規化係数に基づいて上記パワー補整用スペクトルのパワーが調整されることを特徴とする請求項１５記載の復号方法。
【請求項１７】
上記パワー調整工程では、上記スペクトルの復号に用いた量子化精度情報に基づいて上記パワー補整用スペクトルのパワーが調整されることを特徴とする請求項１５記載の復号方法。
【請求項１８】
上記パワー調整工程では、上記スペクトルの符号化時に符号化されたパワー調整情報に基づいて上記パワー補整用スペクトルのパワーが調整されることを特徴とする請求項１５記載の復号方法。
【請求項１９】
上記合成工程では、上記スペクトルと上記パワー補整用スペクトルとが加算されることを特徴とする請求項８記載の復号方法。
【請求項２０】
上記合成工程では、上記スペクトルの少なくとも一部と上記パワー補整スペクトルとが置き換えられることを特徴とする請求項８記載の復号方法。
【請求項２１】
ディジタル信号をスペクトル変換して符号化されたスペクトルを復号する復号装置において、
上記スペクトルを復号するスペクトル復号手段と、
上記スペクトルを所定数毎に分割したユニット毎、又は上記ユニットを複数まとめたグループ毎のパワー調整情報を復号するパワー調整情報復号手段と、
復号された上記パワー調整情報に基づいてパワー補整用スペクトルを生成するパワー補整用スペクトル生成手段と、
復号した上記スペクトルと上記パワー補整用スペクトルとを合成する合成手段と
を備えることを特徴とする復号装置。
【請求項２２】
ディジタル信号をスペクトル変換して符号化されたスペクトルを復号する復号処理をコンピュータに実行させるプログラムにおいて、
上記スペクトルを復号するスペクトル復号工程と、
上記スペクトルを所定数毎に分割したユニット毎、又は上記ユニットを複数まとめたグループ毎のパワー調整情報を復号するパワー調整情報復号工程と、
復号された上記パワー調整情報に基づいてパワー補整用スペクトルを生成するパワー補整用スペクトル生成工程と、
復号した上記スペクトルと上記パワー補整用スペクトルとを合成する合成工程と
を有することを特徴とするプログラム。
【手続補正３】
【補正対象書類名】明細書
【補正対象項目名】０００１
【補正方法】変更
【補正の内容】
【０００１】
【発明の属する技術分野】
本発明は、符号化方法及び装置、復号方法及び装置、並びにプログラムに関し、特に、音響信号や音声信号等のディジタルデータを高能率符号化して伝送し、又は記録媒体に記録する符号化方法及びその装置、符号化データを受信し、又は再生して復号する復号方法及びその装置、並びに符号化処理又は復号処理をコンピュータに実行させるプログラムに関する。
【手続補正４】
【補正対象書類名】明細書
【補正対象項目名】００４５
【補正方法】変更
【補正の内容】
【００４５】
本発明は、このような従来の実情に鑑みて提案されたものであり、圧縮率を高めた場合における、時間的な帯域変動による異音やノイズ、或いはパワー感の欠如を低減する符号化方法及びその装置、符号化データを受信し、又は再生して復号する復号方法及びその装置、並びに符号化処理又は復号処理をコンピュータに実行させるプログラムを提供することを目的とする。
【手続補正５】
【補正対象書類名】明細書
【補正対象項目名】００４６
【補正方法】変更
【補正の内容】
【００４６】
【課題を解決するための手段】
本発明に係る符号化方法は、上述した目的を達成するために、入力ディジタル信号をスペクトル変換したスペクトルを符号化する符号化方法において、復号側において上記スペクトルと合成されるパワー補整用スペクトルのパワーを調整するために使用されるパワー調整情報を、上記スペクトルを所定数毎に分割したユニット毎、又は上記ユニットを複数まとめたグループ毎に生成するパワー調整情報生成工程と、上記ユニット毎又はグループ毎のパワー調整情報を上記スペクトルと共に符号化する符号化工程とを有する。
【手続補正６】
【補正対象書類名】明細書
【補正対象項目名】００４９
【補正方法】変更
【補正の内容】
【００４９】
また、本発明に係る符号化装置は、上述した目的を達成するために、入力ディジタル信号をスペクトル変換したスペクトルを符号化する符号化装置において、復号側において上記スペクトルと合成されるパワー補整用スペクトルのパワーを調整するために使用されるパワー調整情報を、上記スペクトルを所定数毎に分割したユニット毎、又は上記ユニットを複数まとめたグループ毎に生成するパワー調整情報生成手段と、上記ユニット毎又はグループ毎のパワー調整情報を上記スペクトルと共に符号化する符号化手段とを備える。
【手続補正７】
【補正対象書類名】明細書
【補正対象項目名】００５２
【補正方法】変更
【補正の内容】
【００５２】
また、本発明に係る復号方法は、上述した目的を達成するために、ディジタル信号をスペクトル変換して符号化されたスペクトルを復号する復号方法において、上記スペクトルを復号するスペクトル復号工程と、上記スペクトルを所定数毎に分割したユニット毎、又は上記ユニットを複数まとめたグループ毎のパワー調整情報を復号するパワー調整情報復号工程と、復号された上記パワー調整情報に基づいてパワー補整用スペクトルを生成するパワー補整用スペクトル生成工程と、復号した上記スペクトルと上記パワー補整用スペクトルとを合成する合成工程とを有する。
【手続補正８】
【補正対象書類名】明細書
【補正対象項目名】００５７
【補正方法】変更
【補正の内容】
【００５７】
また、本発明に係る復号装置は、上述した目的を達成するために、ディジタル信号をスペクトル変換して符号化されたスペクトルを復号する復号装置において、上記スペクトルを復号するスペクトル復号手段と、上記スペクトルを所定数毎に分割したユニット毎、又は上記ユニットを複数まとめたグループ毎のパワー調整情報を復号するパワー調整情報復号手段と、復号された上記パワー調整情報に基づいてパワー補整用スペクトルを生成するパワー補整用スペクトル生成手段と、復号した上記スペクトルと上記パワー補整用スペクトルとを合成する合成手段とを備える。
【手続補正９】
【補正対象書類名】明細書
【補正対象項目名】００６２
【補正方法】変更
【補正の内容】
【００６２】
また、本発明に係るプログラムは、上述した符号化処理又は復号処理をコンピュータに実行させるものである。
【手続補正１０】
【補正対象書類名】明細書
【補正対象項目名】０１２７
【補正方法】変更
【補正の内容】
【０１２７】
【発明の効果】
以上詳細に説明したように、本発明に係る符号化方法は、入力ディジタル信号をスペクトル変換したスペクトルを符号化する符号化方法において、復号側において上記スペクトルと合成されるパワー補整用スペクトルのパワーを調整するために使用されるパワー調整情報を、上記スペクトルを所定数毎に分割したユニット毎、又は上記ユニットを複数まとめたグループ毎に生成するパワー調整情報生成工程と、上記ユニット毎又はグループ毎のパワー調整情報を上記スペクトルと共に符号化する符号化工程とを有する。
【手続補正１１】
【補正対象書類名】明細書
【補正対象項目名】０１３１
【補正方法】変更
【補正の内容】
【０１３１】
また、本発明に係る符号化装置は、入力ディジタル信号をスペクトル変換したスペクトルを符号化する符号化装置において、復号側において上記スペクトルと合成されるパワー補整用スペクトルのパワーを調整するために使用されるパワー調整情報を、上記スペクトルを所定数毎に分割したユニット毎、又は上記ユニットを複数まとめたグループ毎に生成するパワー調整情報生成手段と、上記ユニット毎又はグループ毎のパワー調整情報を上記スペクトルと共に符号化する符号化手段とを備える。
【手続補正１２】
【補正対象書類名】明細書
【補正対象項目名】０１３５
【補正方法】変更
【補正の内容】
【０１３５】
また、本発明に係る復号方法は、ディジタル信号をスペクトル変換して符号化されたスペクトルを復号する復号方法において、上記スペクトルを復号するスペクトル復号工程と、上記スペクトルを所定数毎に分割したユニット毎、又は上記ユニットを複数まとめたグループ毎のパワー調整情報を復号するパワー調整情報復号工程と、復号された上記パワー調整情報に基づいてパワー補整用スペクトルを生成するパワー補整用スペクトル生成工程と、復号した上記スペクトルと上記パワー補整用スペクトルとを合成する合成工程とを有する。
【手続補正１３】
【補正対象書類名】明細書
【補正対象項目名】０１４１
【補正方法】変更
【補正の内容】
【０１４１】
また、本発明に係る復号装置は、ディジタル信号をスペクトル変換して符号化されたスペクトルを復号する復号装置において、上記スペクトルを復号するスペクトル復号手段と、上記スペクトルを所定数毎に分割したユニット毎、又は上記ユニットを複数まとめたグループ毎のパワー調整情報を復号するパワー調整情報復号手段と、復号された上記パワー調整情報に基づいてパワー補整用スペクトルを生成するパワー補整用スペクトル生成手段と、復号した上記スペクトルと上記パワー補整用スペクトルとを合成する合成手段とを備える。
【手続補正１４】
【補正対象書類名】明細書
【補正対象項目名】０１４７
【補正方法】変更
【補正の内容】
【０１４７】
また、本発明に係るプログラムは、上述した符号化処理又は復号処理をコンピュータに実行させるものである。
【手続補正１５】
【補正対象書類名】明細書
【補正対象項目名】０１４８
【補正方法】変更
【補正の内容】
【０１４８】
このようなプログラムによれば、上述した符号化処理又は復号処理をソフトウェアにより実現することができる。